(57)【特許請求の範囲】
【請求項１】
原稿を載置する原稿台及び前記原稿を読み取る読み取り手段を備えた本体部と、
前記原稿台を開閉するカバーと、を備え、
前記カバーは、閉じた状態において前記読み取り手段の移動領域と重なる領域外に位置し且つ近距離無線通信を行うための近距離無線通信基板と、前記カバーの上面を形成するカバー本体と、前記カバー本体との間で前記近距離無線通信基板を挟むとともに前記近距離無線通信基板を覆い原稿を押さえる原稿押さえ部材と、を備える、
ことを特徴とする読取装置。
【請求項２】
原稿を載置する原稿台及び前記原稿を読み取る読み取り手段を備えた本体部と、
前記原稿台を開閉するカバーと、を備え、
前記カバーは、閉じた状態において前記読み取り手段の移動領域と重なる領域外に位置し且つ近距離無線通信を行うための近距離無線通信基板と、前記カバーの上面を形成するカバー本体と、前記カバー本体との間で前記近距離無線通信基板を挟むとともに前記近距離無線通信基板を覆う補助カバーと、を備える、
ことを特徴とする読取装置。
【請求項３】
請求項２に記載の読取装置において、前記補助カバーと前記カバー本体との間であって前記近距離無線通信基板を避けた領域に前記カバーの剛性を高めるための金属プレートを備える、
ことを特徴とする読取装置。
【請求項４】
請求項３に記載の読取装置において、前記カバーは、前記読み取り手段の移動方向と交差する方向の端部に設けられた回動軸を中心に回動することにより前記原稿台を開閉可能に設けられ、
前記カバー本体の自由端側には、前記カバーが閉じた状態において前記読み取り手段の移動領域と重なる領域外に、前記読み取り手段の移動方向に沿って薄肉部が形成され、
前記金属プレート及び前記近距離無線通信基板が、前記薄肉部に配置されている、
ことを特徴とする読取装置。
【請求項５】
請求項２から請求項４のいずれか一項に記載の読取装置において、前記カバー本体と前記補助カバーとの結合部には遊びが設けられている、
ことを特徴とする読取装置。
【請求項６】
被記録媒体に記録を行う記録手段を備える記録機構部と、
前記記録機構部の上部に設けられた、原稿を読み取る読み取り機構部としての、請求項１から請求項５のいずれか一項に記載の前記読取装置と、を備える、
ことを特徴とする記録装置。
【請求項７】
請求項６に記載の記録装置において、前記記録機構部は、装置前面に操作パネルを備え、
前記カバーは、閉じた状態において前記操作パネルの上部に差し掛かる部位を有するとともに、前記近距離無線通信基板が前記操作パネルの上部に配置されている、
ことを特徴とする記録装置。
【請求項８】
原稿を載置する原稿台及び前記原稿を読み取る読み取り手段を備えた本体部と、
前記原稿台を開閉するカバーと、を備え、
前記カバーは、前記カバーの剛性を高めるための金属プレートと、
前記金属プレートの配置領域から外れた領域に設けられた近距離無線通信基板と、を備える、
ことを特徴とする読取装置。
【請求項９】
請求項８に記載の読取装置において、前記近距離無線通信基板は、前記カバーが閉じた状態において前記読み取り手段の移動領域と重なる領域内であって、前記読み取り手段のホームポジションから外れた位置に設けられている、
ことを特徴とする読取装置。
【請求項１０】
被記録媒体に記録を行う記録手段を備える記録機構部と、
前記記録機構部の上部に設けられた、原稿を読み取る読み取り機構部としての、請求項８または請求項９に記載の前記読取装置と、を備える、
ことを特徴とする記録装置。
【請求項１１】
請求項１０に記載の記録装置において、前記記録機構部は、前記記録手段を含む駆動対象を駆動する際の電力を供給する電源部を備え、
前記近距離無線通信基板は、前記カバーが閉じた状態において前記電源部の上方に位置する、
ことを特徴とする記録装置。
【発明の詳細な説明】
【技術分野】
【０００１】
本発明は、原稿を読み取る読取装置および被記録媒体に記録を行う記録装置に関する。
【背景技術】
【０００２】
被記録媒体に記録を行う記録装置には、被記録媒体に記録を行う記録機構部の上部に、原稿を読み取る読み取り機構部（スキャナー）を備えるタイプ（複合機などと呼ばれるタイプ）がある。  
また、記録装置では、特許文献１、２に示される様に、近距離無線通信（ＮＦＣ：Near
Field Communication）が行える様に構成されたものもある。尚、近距離無線通信とは、近接場型の無線通信であり、通信エリアは、およそ数センチ〜１メートル程度である。ユーザーはこの近距離無線通信を利用し、例えば記録装置の設定や、携帯端末から記録装置への画像データの転送、そしてプリントアウトなどが行える様になる。
【先行技術文献】
【特許文献】
【０００３】
【特許文献１】特開２０１４−０９６７１７号公報
【特許文献２】特開２０１３−２２８５４０号公報
【発明の概要】
【発明が解決しようとする課題】
【０００４】
近距離無線通信に用いるアンテナを備えた基板（近距離無線通信基板）は、上述のような記録機構部の上部に読み取り機構部を備える記録装置（複合機）では、ユーザーの操作性の観点から読み取り機構部の上面に設けることが好ましい。
【０００５】
しかしながら、近距離無線通信基板の配置によっては、読み取り機構部特有の構成が通信障害を発生させてしまう虞がある。  
そこで本発明はこの様な問題に鑑み成されたものであり、その目的は、記録機構部の上部に読み取り機構部を備える記録装置において、近距離無線通信基板を適切に配置して良好な通信を行うことにある。
【課題を解決するための手段】
【０００６】
上記課題を解決する為の、本発明の第１の態様に係る記録装置は、被記録媒体に記録を行う記録手段を備える記録機構部と、前記記録機構部の上部に設けられた、原稿を読み取る読み取り機構部と、を備え、前記読み取り機構部は、原稿を載置する原稿台及び前記原稿を読み取る読み取り手段を備えた本体部と、前記原稿台を開閉するカバーと、を備え、前記カバーは、閉じた状態において前記読み取り手段の移動領域と重なる領域外に、近距離無線通信基板を備えることを特徴とする。
【０００７】
本態様によれば、原稿台を開閉するカバーに近距離無線通信基板を備えるので、ユーザーは通信機器を記録装置の上方から容易にかざすことができ、操作性が向上する。そして前記カバーは、閉じた状態において前記読み取り手段の移動領域と重なる領域外に、近距離無線通信基板を備えるので、前記読み取り手段が近距離無線通信に対して障害を与える不具合を抑制でき、良好な通信を行うことができる。
【０００８】
本発明の第２の態様は、第１の態様において、前記カバーは、前記カバーの上面を形成するカバー本体と、前記カバー本体との間で前記近距離無線通信基板を挟むとともに前記近距離無線通信基板を覆う補助カバーと、を備えることを特徴とする。
【０００９】
本態様によれば、前記カバーは、前記カバーの上面を形成するカバー本体と、前記カバー本体との間で前記近距離無線通信基板を挟むとともに前記近距離無線通信基板を覆う補助カバーと、を備えるので、前記補助カバーにより、前記近距離無線通信基板を保護することができる。また、前記カバーの剛性も向上する。
【００１０】
本発明の第３の態様は、第２の態様において、前記補助カバーと前記カバー本体との間であって前記近距離無線通信基板を避けた領域に金属プレートを備えることを特徴とする。
【００１１】
本態様によれば、前記補助カバーと前記カバー本体との間であって前記近距離無線通信基板を避けた領域に金属プレートを備えるので、前記金属プレートにより、前記カバーの剛性がより一層向上する。しかも、前記金属プレートは前記近距離無線通信基板を避けた領域に設けられているので、前記金属プレートが近距離無線通信に対して障害を与える不具合を抑制できる。
【００１２】
本発明の第４の態様は、第３の態様において、前記カバーは、前記読み取り手段の移動方向と交差する方向の端部に設けられた回動軸を中心に回動することにより前記原稿台を開閉可能に設けられ、前記カバー本体の自由端側には、前記カバーが閉じた状態において前記読み取り手段の移動領域と重なる領域外に、前記読み取り手段の移動方向に沿って薄肉部が形成され、前記金属プレート及び前記近距離無線通信基板が、前記薄肉部に配置されていることを特徴とする。
【００１３】
本態様によれば、前記金属プレート及び前記近距離無線通信基板が、前記カバー本体に形成された薄肉部に配置されているので、前記金属プレート及び前記近距離無線通信基板の配置に伴う前記カバーの厚み増加を抑制できる。
【００１４】
本発明の第５の態様は、第２から第４の態様のいずれかにおいて、前記カバー本体と前記補助カバーとの結合部には遊びが設けられていることを特徴とする。  
本態様によれば、前記カバー本体と前記補助カバーとの結合部には遊びが設けられているので、前記カバー本体と前記補助カバーとを結合させた際に、互いに相手側の部品精度の影響を受け難くすることができる。例えば、前記カバー本体及び前記補助カバーの一方に反りがあっても、前記結合部に遊びがあることで、両者を結合させた際にカバー全体として反りが生じることを回避できる。
【００１５】
本発明の第６の態様は、第１から第５の態様のいずれかにおいて、前記記録機構部は、装置前面操作パネルを備え、前記カバーは、閉じた状態において前記操作パネルの上部に差し掛かる部位を有するとともに、前記近距離無線通信基板が前記操作パネルの上部に配置されていることを特徴とする。
【００１６】
本態様によれば、前記カバーは、閉じた状態において前記操作パネルの上部に差し掛かる部位を有するとともに、前記近距離無線通信基板が前記操作パネルの上部に配置されているので、操作部位が一箇所に纏まり、前記操作パネルから離れた場所に前記近距離無線通信基板を配置する構成に比して、ユーザーの操作性が向上する。
【００１７】
本発明の第７の態様は、被記録媒体に記録を行う記録手段を備える記録機構部と、前記記録機構部の上部に設けられた、原稿を読み取る読み取り機構部と、を備え、前記読み取り機構部は、原稿を載置する原稿台及び前記原稿を読み取る読み取り手段を備えた本体部と、前記原稿台を開閉するカバーと、を備え、前記カバーは、金属プレートと、前記金属プレートの配置領域から外れた領域に設けられた近距離無線通信基板とを備えることを特徴とする。
【００１８】
本態様によれば、前記カバーは、金属プレートと、前記金属プレートの配置領域から外れた領域に設けられた近距離無線通信基板とを備えるので、前記金属プレートにより前記カバーの剛性が向上するとともに、前記金属プレートは前記近距離無線通信基板を避けた領域に設けられているので、前記金属プレートが近距離無線通信に対して障害を与える不具合を抑制できる。
【００１９】
本発明の第８の態様は、第７の態様において、前記近距離無線通信基板は、前記カバーが閉じた状態において前記読み取り手段の移動領域に重なる領域内であって、前記読み取り手段のホームポジションから外れた位置に設けられていることを特徴とする。
【００２０】
本態様によれば、前記近距離無線通信基板は、前記カバーが閉じた状態において前記読み取り手段の移動領域に重なる領域内であって、前記読み取り手段のホームポジションから外れた位置に設けられているので、近距離無線通信を行う際に前記近距離無線通信基板と前記読み取り手段とが離れている状態になり易く、これにより前記読み取り手段が近距離無線通信に対して障害を与える不具合を抑制でき、良好な通信を行うことができる。
【００２１】
本発明の第９の態様は、第１の態様から第８の態様のいずれかにおいて、前記記録機構部は、前記記録手段を含む駆動対象を駆動する際の電力を供給する電源部を備え、前記近距離無線通信基板は、前記カバーが閉じた状態において前記電源部の上方に位置することを特徴とする。  
本態様によれば、前記近距離無線通信基板が、前記カバーが閉じた状態において前記電源部の上方に位置する記録装置において、第１の態様から第８の態様のいずれかと同様の効果が得られる。
【図面の簡単な説明】
【００２２】
【図１】本発明に係るプリンターの外観斜視図。
【図２】本発明に係るプリンターの用紙搬送経路を示す図。
【図３】本発明に係るプリンターにおいて読み取り機構部のカバーを開いた状態を示す斜視図。
【図４】読み取り機構部のカバーを外した状態を示す斜視図。
【図５】本発明に係るプリンターにおいて記録機構部本体に対して読み取り機構部を開いた状態を示す斜視図。
【図６】読み取り機構部のカバーの分解斜視図。
【図７】カバーを構成するカバー本体の底面図。
【図８】カバー本体に補助カバーを取り付けた状態を示す斜視図。
【図９】読み取り機構部の概略平面図。
【図１０】本発明に係るプリンターの要部断面図。
【図１１】図８のＡ−Ａ矢視要部断面図。
【図１２】実施例２に係るカバーを構成するカバー本体の底面図。
【図１３】実施例２に係る読み取り機構部の概略平面図。
【図１４】実施例２に係るプリンターの要部断面図。
【図１５】カバー本体の斜視図。
【図１６】カバー本体に補助カバーを取り付けた状態を示す斜視図。
【図１７】図１６に示す補助カバーを構成する第１のパーツの斜視図。
【図１８】図１７に示す第１のパーツを裏面から見た斜視図。
【図１９】図１６に示す補助カバーを構成する第２のパーツの斜視図。
【図２０】図１９に示す第２のパーツを裏面から見た斜視図。
【図２１】カバー本体に第１のパーツを取り付けた状態を示す斜視図。
【図２２】図２１のＢ−Ｂ矢視要部断面図。
【図２３】図２１のＣ−Ｃ矢視要部断面図。
【図２４】図１６のＤ−Ｄ矢視要部断面図。
【図２５】図１６のＥ−Ｅ矢視要部断面図。
【発明を実施するための形態】
【００２３】
［実施例１］
まず、本発明の一実施例に係る記録装置の概略について説明する。本実施例において、記録装置の一例としてインクジェット式プリンター（以下、単にプリンターと称する）を例に挙げる。  
図１は、本発明に係るプリンターの外観斜視図である。図２は、本発明に係るプリンターの用紙搬送経路を示す図である。図３は、本発明に係るプリンターにおいて読み取り機構部のカバーを開いた状態を示す斜視図である。図４は、読み取り機構部のカバーを外した状態を示す斜視図である。図５は、本発明に係るプリンターにおいて記録機構部本体に対して読み取り機構部を開いた状態を示す斜視図である。図６は、読み取り機構部のカバーの分解斜視図である。図７は、カバーを構成するカバー本体の底面図である。図８は、カバー本体に補助カバーを取り付けた状態を示す斜視図である。図９は、読み取り機構部の概略平面図である。図１０は、本発明に係るプリンターの要部断面図である。図１１は、図８のＡ−Ａ矢視要部断面図である。
【００２４】
＜プリンターの全体構成＞
以下、プリンター１の全体構成について概説する。  
本発明に係るプリンター１（図１）は、記録機構部本体２内に被記録媒体の一例としての用紙にインクジェット記録を行う記録手段としての記録ヘッド３０（図２参照）を備えて構成される記録機構部１５と、記録機構部本体２の上部に設けられ、原稿を読み取る読み取り機構部３（図２、図３）を備えている。即ちプリンター１は、インクジェット記録機能に加えてスキャナー機能を備える複合機として構成されている。
【００２５】
尚、各図において示すＸ−Ｙ−Ｚ座標系はＸ方向が記録ヘッドの走査方向、Ｙ方向が装置奥行き方向である。Ｚ方向は重力方向であり、装置高さ方向を示している。また、＋Ｙ方向側を装置前面側とし、−Ｙ方向側を装置背面側とする。また、装置前面側から見て右側を＋Ｘ方向、左側を−Ｘ方向とする。また、＋Ｚ方向を装置上方（上部、上面等を含む）とし、−Ｚ方向側を装置下方（下部、下面等を含む）とする。  
また、以下において、プリンター１において用紙が搬送されていく搬送方向（＋Ｙ方向側）を「下流」といい、これと反対の方向（−Ｙ方向側）を「上流」という。
【００２６】
読み取り機構部３は、記録機構部１５の記録機構部本体２に対して回動可能に設けられており、回動することにより、記録機構部１５の上部を閉じた状態（図１）と開いた状態（図５）とをとり得る。  
尚、読み取り機構部３はその上部に開閉可能なカバー４（図１、図３）を備えており、このカバー４が原稿台３ａ（図３）を開閉する様に構成されている。カバー４の構成を含む読み取り機構部３の構成については後に更に詳述する。
【００２７】
図１のプリンター１の装置前面において符号５は、電源ボタンや各種印刷設定・記録実行を行う操作ボタン、印刷設定内容や印刷画像のプレビュー表示などを行う表示部、等を備えて成る操作パネル５である。
【００２８】
また、装置前面において符号９は下段側トレイ１３（図２）に設けられた開閉可能なカバーである。そして図２に示すように、このカバー９を開くことにより、下段側トレイ１３、上段側トレイ１４、排紙受けトレイ８、のこれらが露呈する様に構成されている。
【００２９】
排紙受けトレイ８は、図示しないモーターによって記録機構部本体２に収納された状態（図１）と、記録機構部本体２の前方側に突出した状態（図２）と、を取り得る様に設けられており、記録機構部本体２の前方側に突出した状態となることで、記録が行われて排出される用紙を受けることができる。
【００３０】
図２に示す下段側トレイ１３と、その上部に設けられる上段側トレイ１４は、複数枚の用紙を収容可能であり、それぞれが独立して記録機構部本体２に対して着脱可能となっている。また、一方側が未装着状態であっても、他方側が装着されていれば、当該装着されているトレイから用紙を送り出すことができる様になっている。
【００３１】
また、記録機構部本体２の後方上部において符号６は開閉可能な手差しカバーであり、この手差しカバー６を図２のように開くことにより、手差しトレイ７を利用した用紙の手差しでの給紙が行える様になっている。  
尚、プリンター１の記録機構部１５における用紙搬送経路については後に説明する。
【００３２】
＜読み取り機構部の構成＞
（１）読み取り機構部の全体構成について  
読み取り機構部３は、前述したように、記録機構部１５の上部において、記録機構部１５の記録機構部本体２に対して回動可能に連結されており、回動することにより記録機構部１５の上部を開閉する（図５）。  
より具体的には、読み取り機構部３は、図４に示す第１の連結部３５および第２の連結部３６において、記録機構部１５に対して回動可能に連結されている。第１の連結部３５および第２の連結部３６には、それぞれに回動軸３５ａ、３６ａが設けられており、記録機構部本体２側に設けられる不図示の軸受けに回動軸３５ａ、３６ａが軸支されて、記録機構部１５の上部を開閉するように読み取り機構部３が回動する。  
尚、本実施例において、第１の連結部３５および第２の連結部３６は、読み取り機構部３の「本体部」としての筐体４０に一体に設けられている。
【００３３】
図４に示すように、読み取り機構部３は原稿台３ａを備え、原稿台３ａの上面が原稿を載置する原稿載置面となる。原稿台３ａは本実施例では透明なガラス板である。原稿台３ａの周囲は複数のフレーム３３ａ、３３ｂ、３３ｃ、３３ｄにより構成されており、これらフレーム３３ａ、３３ｂ、３３ｃ、３３ｄにより画設された矩形領域が、筐体４０内を移動する読み取り手段３７によって読み取りが可能な原稿読み取り領域となる。  
すなわち、本実施例において読み取り機構部３はフラットべッド型のスキャナーであり、原稿台３ａの下側に、読み取り手段３７が原稿台３ａに対して相対的に移動可能に設けられている。尚、本実施形態では複数のフレーム３３ａ、３３ｂ、３３ｃ、３３ｄで構成されているが、一体化される構成でもよい。
【００３４】
読み取り手段３７は筐体４０内に設けられ、主走査方向（Ｙ軸方向）に延設されるとともに、後述する移動機構４３により、前記主走査方向と交差する副走査方向（Ｘ軸方向）に移動可能に構成されている。尚、本実施例では、前記主走査方向は原稿読み取り領域の短辺方向（Ｙ軸方向）に対応しており、前記副走査方向が原稿読み取り領域の長辺方向（Ｘ軸方向）に対応している。  
読み取り手段３７（図９を参照）は、その移動方向（Ｘ軸方向）において、＋Ｘ側に位置するホームポジション（図９における二点鎖線で示す読み取り手段３７の位置）から−Ｘ側の位置まで移動する。したがって、符号３８の一点鎖線で示す矩形領域が読み取り手段３７の移動領域３８である。
【００３５】
読み取り手段３７は、読取センサー（不図示）を備えている。読取センサーは、不図示の光源と受光部を備え、原稿台３ａに載置された原稿に光源から光を照射し、該原稿からの反射光を受光部で受光して原稿の情報を読み取る光学センサーであり、例えばＣＣＤ（Ｃｈａｒｇｅ  Ｃｏｕｐｌｅｄ  Ｄｅｖｉｃｅｓ）方式或いはＣＩＳ（Ｃｏｎｔａｃｔ  Ｉｍａｇｅ  Ｓｅｎｓｏｒ）方式の光学センサーを用いることができる。
【００３６】
（２）読み取り機構部のカバーについて
続いて、読み取り機構部３の上部に設けられる原稿台３ａを開閉するカバー４について説明する。  
カバー４は、カバー４の上面を形成するカバー本体５２に設けられる回動軸５７（図３、図６）が、筐体４０側に設けられる軸受部５８（図９）に取り付けられ、Ｘ軸方向を回動軸として回動する様になっている。  
言い換えると、カバー４は、読み取り手段３７の移動方向であるＸ軸方向と交差するＹ軸方向の端部に設けられた回動軸５７を中心に回動することにより原稿台３ａを開閉可能に設けられている。
【００３７】
カバー４は、図６に示すように、カバー本体５２と、カバー本体５２の下方（−Ｚ方向）に取り付けられる補助カバー５４と、補助カバー５４の下方に取り付けられる原稿押さえマット５６を備えている。  
そしてカバー４を閉じた際に、原稿台３ａに載置された原稿が原稿押さえマット５６により押圧され、その被読み取り面が原稿台３ａに密着するようになっている。
【００３８】
カバー４は、プリンター１を平面視したときに、読み取り機構部３の原稿台３ａと、プリンター１の前面側に設けられる操作パネル５の上部５ａ（図３、図９）に差し掛かり、上部５ａも覆うようになっている。  
尚、図７及び図１０に示すカバー本体５２の自由端側（＋Ｙ側）において、符号５９で示す領域が、カバー４を閉じた状態において操作パネル５の上部５ａに差し掛かる部位である。図１０において符号６１は記録機構部１５において記録ヘッド３０等の駆動対象となる構成要素を駆動するための電源である。
【００３９】
また、カバー４には、近距離無線通信基板６０（以下、ＮＦＣ基板６０と称する場合がある）が設けられている。  
プリンター１がＮＦＣ基板６０を備えることにより、例えば、プリンター１とユーザーの携帯端末との間で近距離無線通信を行い、前記携帯端末への情報発信や、前記携帯端末からプリンター１の設定、画像データの転送、記録機構部１５における記録の実行、読み取り機構部３におけるスキャンの実行などを行うことができる。  
また、ＮＦＣ基板６０が、原稿台３aを開閉するカバー４に設けられていることにより、ユーザーは携帯端末等の通信機器をプリンター１の上方から容易にかざすことができるので、操作性が向上する。
【００４０】
また本実施例において、ＮＦＣ基板６０は、カバー４を閉じた状態において読み取り手段３７の移動領域３８（図９）と重なる領域外に設けられている。  
本実施例においてＮＦＣ基板６０は、開閉するカバー４の自由端側（回動軸５７から＋Ｙ方向に離れた位置）に設けられており（図７、図９）、カバー４を閉じた状態で操作パネル５の上部５ａに差し掛かる位置に設けられている。
【００４１】
読み取り手段３７において、例えば読み取りセンサーを保持するためのセンサーキャリッジ等に板金が用いられる場合がある。ＮＦＣ基板６０の近くに板金等の金属材料があると、近距離無線通信に対して障害を与える場合がある。  
本実施例においてカバー４が、閉じた状態において読み取り手段３７の移動領域３８と重なる領域外にＮＦＣ基板６０を備えることにより、読み取り手段３７が近距離無線通信に対して障害を与える不具合を抑制でき、良好な通信を行うことができる。
【００４２】
また、ＮＦＣ基板６０が、カバー４が閉じた状態において操作パネル５の上部５ａに差し掛かる位置に設けられていることにより、ユーザーによる操作部位が一箇所に纏まり、操作パネル５から離れた場所にＮＦＣ基板６０を配置する構成に比して、ユーザーの操作性が向上する。
【００４３】
また、ＮＦＣ基板６０は、図６に示すように、カバー本体５２と補助カバー５４の間に挟まれるように設けられている。すなわち、カバー本体５２と補助カバー５４によってＮＦＣ基板６０が覆われて露呈しない様になっている。  
このように構成することにより、補助カバー５４によりＮＦＣ基板６０を保護することができる。また、カバー本体５２と補助カバー５４の２部材を重ねることによりカバー４の剛性も向上する。
【００４４】
続いて、カバー４の自由端側（＋Ｙ側）において、補助カバー５４とカバー本体５２との間であってＮＦＣ基板６０が設けられている領域以外の領域には、金属プレート６２（図６）が設けられている。  
言い換えると、図７に示すように、金属プレート６２は、補助カバー５４とカバー本体５２との間であってＮＦＣ基板６０を避けた領域に設けられる。更に換言すると、ＮＦＣ基板６０は、金属プレート６２の配置領域から外れた領域に設けられている。
【００４５】
補助カバー５４とカバー本体５２との間に金属プレート６２を備えることにより、カバー４の剛性がより一層向上する。加えて、金属プレート６２はＮＦＣ基板６０を避けた領域に設けられているので、金属プレート６２が近距離無線通信に対して障害を与える不具合を抑制できる。  
尚、金属プレート６２はＮＦＣ基板６０を避けた領域にあることが望ましいが、ＮＦＣ基板６０をカバー本体５２と金属プレート６２の間に配置することも可能である。
【００４６】
カバー４には、ＮＦＣ基板６０と金属プレート６２が設けられる位置、すなわち、カバー本体５２の自由端側の、カバー４が閉じた状態において読み取り手段３７の移動領域３８と重なる領域外に、読み取り手段３７の移動方向に沿って薄肉部６３が形成されている。  
より具体的には薄肉部６３は、図１１に示すように、プリンター１の外装を構成するカバー４（カバー本体５２）の上面４ａ側においては面一になっており、その裏面が凹部になるように薄く形成されて構成されている。  
そして金属プレート６２及びＮＦＣ基板６０は、薄肉部６３に配置されている（図７）。  
このことによって、金属プレート６２及びＮＦＣ基板６０の配置に伴うカバー４の厚み増加を抑制できる。
【００４７】
尚、金属プレート６２及びＮＦＣ基板６０は、例えばカバー本体５２側に設けられる凸部６８、６９（図７）と、金属プレート６２及びＮＦＣ基板６０に設けられる不図示の穴部が係合することによりカバー本体５２に留められている。
【００４８】
続いて、カバー本体５２と補助カバー５４との結合について説明する。  
カバー本体５２と補助カバー５４は、カバー本体５２側に設けられる係合部（図７、図１１における符号６４、６５）と、補助カバー５４側に設けられる被係合部（図６、図１１における符号６６、６７）がそれぞれ係合して結合されている。  
より具体的には、カバー本体５２側には、カバー本体５２の周縁に設けられる周縁係合部６４と、カバー本体５２の内部側に設けられる内部側係合部６５が設けられており、補助カバー５４側には、周縁係合部６４と係合する周縁被係合部６６と、内部側係合部６５と係合する内部側被係合部６７が設けられている。
【００４９】
図１１に示すように、カバー本体５２の周縁係合部６４と内部側係合部６５は、装置高さ方向（Ｚ軸方向）においてずれた位置にあり、内部側係合部６５と係合する内部側被係合部６７は装置高さ方向に移動可能になっている。このことによって、カバー本体５２と補助カバー５４とが「遊び」を有する状態で結合されている。
【００５０】
カバー本体５２と補助カバー５４との結合部に遊びが設けられていることにより、カバー本体５２と補助カバー５４とを結合させた際に、互いに相手側の部品精度の影響を受け難くすることができる。例えば、カバー本体５２及び補助カバー５４の一方に反りがあっても、その結合部に遊びがあることで、両者を結合させた際にカバー４全体として反りが生じることを回避できる。
【００５１】
補助カバー５４の下面（−Ｚ側）には、補助カバー５４の長辺方向（Ｘ軸方向）及び短辺方向（Ｙ軸方向）に延びる複数のリブ５５が設けられている。  
リブ５５が設けられていることにより、原稿押さえマット５６による原稿台３ａ上の原稿の押圧をより確実に行うことができる。
【００５２】
尚、本実施例においては、カバー本体５２と補助カバー５４との間にＮＦＣ基板６０を設ける構成としたが、補助カバー５４を設けずカバー本体５２と原稿押さえマット５６の間にＮＦＣ基板６０を挟むこともできる。  
補助カバー５４を設けない場合には、補助カバー５４の複数のリブ５５に相当するリブをカバー本体５２に設けることが好ましい。前記リブがあると、当該リブの高さ内にＮＦＣ基板６０を納めることが可能であり、装置高さ方向におけるＮＦＣ基板６０の厚みの影響を少なくすることができる。
【００５３】
（３）読み取り手段の移動機構について
読み取り手段３７（図９）は、ベルト駆動による移動機構４３により駆動され、読み取り手段３７の下部に設けられる不図示のスライド部においてに対して移動可能に係合し、ガイド部４２に案内されて、読み取り手段３７を移動させる動力源としてのモーター４４の動力によって副走査方向（Ｘ軸方向）に移動するように構成されている。
【００５４】
読み取り手段３７の移動機構４３は、図９に示すように、モーター４４によって駆動される駆動プーリー４５と、駆動プーリー４５に従動回転可能な２つの従動プーリー４６、従動プーリー４７と、駆動プーリー４５、従動プーリー４６、及び従動プーリー４７との間に係回される無端ベルト４８を備えている。  
従動プーリー４６と従動プーリー４７は、ガイド部４２の一方側端部付近と他方側端部付近とに配置されている。また、駆動プーリー４５のモーター４４は、読み取り機構部３の回動軸３５ａが設けられる第１の連結部３５に配置されている。  
尚、符号４９は無端ベルト４８にテンションを与える付勢部である。付勢部４９は、駆動プーリー４５と従動プーリー４６の間の他、駆動プーリー４５と従動プーリー４７の間、或いは従動プーリー４６と従動プーリー４７に設けることもできる。
【００５５】
読み取り手段３７は、無端ベルト４８においてガイド部４２に沿う部分、すなわち、従動プーリー４６及び従動プーリー４７との間の位置において、無端ベルト４８に固定されており、モーター４４が駆動することによって無端ベルト４８が回動し、センサーキャリッジ４１が無端ベルト４８に牽引されてＸ軸方向に往復移動するように構成されている。この構成により、ガイド部４２近くに設けられる無端ベルト４８によって読み取り手段３７を牽引するので、読み取り手段３７を円滑に移動させることができる。
【００５６】
［実施例２］
実施例２では図１２〜図１４に基づき、読み取り機構部のカバーの他の実施例について説明する。図１２は、実施例２に係るカバーを構成するカバー本体の底面図である。図１３は、実施例２に係る読み取り機構部の平面図である。図１４は、実施例２に係るプリンターの要部断面図である。  
本実施形態において実施例１と同一の構成については同一の符号を付し、その構成の説明は省略する。
【００５７】
本実施例において、読み取り機構部３の上部を開閉するカバー７０（図１２）は、金属プレート７２と、近距離無線通信基板７４（以下、ＮＦＣ基板７４と称する）とを備えている。  
より具体的には、金属プレート７２は、カバー７０を構成するカバー本体７１の自由端側（＋Ｙ側）に、装置幅方向（Ｘ軸方向）のほぼ全域に亘って延設されている。  
そしてＮＦＣ基板７４は、図１３及び図１４を参照するに、カバー７０が閉じた状態（図１４）において読み取り手段３７の移動領域３８（図１３）に重なる領域内であって、読み取り手段３７のホームポジション（図１３における読み取り手段３７の位置）から外れた位置に設けられている。  
尚、金属プレート７２及びＮＦＣ基板７４は、実施例１と同様に、カバー本体７１に形成される薄肉部７５（図１２）に配置されている。
【００５８】
また、記録機構部１５は、図１４に示すように、記録ヘッド３０を含む駆動対象を駆動する際の電力を供給する電源部としての電源６１を備えており、本実施例においてＮＦＣ基板７４は、カバー７０が閉じた状態において電源６１の上方に位置している。尚、図１４において、符号７６は補助カバーであり、符号７８は原稿押さえマットである。
【００５９】
本実施例においても、カバー７０において、金属プレート７２の配置領域から外れた領域にＮＦＣ基板７４が設けられているので、金属プレート７２が近距離無線通信に対して障害を与える不具合を抑制できる。また、金属プレート７２によりカバー７０の剛性が向上する。
【００６０】
本実施例においては、実施例１と異なり、ＮＦＣ基板７４がカバー７０が閉じた状態において読み取り手段３７の移動領域３８に重なる領域内にあるが、読み取り手段３７のホームポジションから外れた位置（図１３を参照）に設けられているので、近距離無線通信を行う際にはＮＦＣ基板７４と読み取り手段３７とが離れている状態になり易く、これにより読み取り手段３７が近距離無線通信に対して障害を与える不具合を抑制でき、良好な通信を行うことができる。
【００６１】
＜読み取り機構部のカバーにおける他の構成について＞
図１５〜図２５を参照して、読み取り機構部のカバーを構成する補助カバーの構成について説明する。  
図１５は、カバー本体の斜視図である。図１６は、カバー本体に補助カバーを取り付けた状態を示す斜視図である。図１７は、図１６に示す補助カバーを構成する第１のパーツの斜視図である。図１８は、図１７に示す第１のパーツを裏面から見た斜視図を裏面から見た斜視図である。図１９は、図１６に示す補助カバーを構成する第２のパーツの斜視図である。図２０は、図１９に示す第２のパーツを裏面から見た斜視図である。図２１は、カバー本体に第１のパーツを取り付けた状態を示す斜視図である。図２２は、図２１のＢ−Ｂ矢視要部断面図である。図２３は、図２１のＣ−Ｃ矢視要部断面図である。図２４は、図１６のＤ−Ｄ矢視要部断面図である。図２５は、図１６のＥ−Ｅ矢視要部断面図である。
【００６２】
例えば実施例１において、カバー４は、カバー本体５２と補助カバー５４を備えて構成されている。カバー４をカバー本体５２と補助カバー５４の２層によって形成することにより、原稿台３ａ上の原稿の押え板としての剛性を高めている。  
補助カバー５４は、図６のように１枚の板状体として形成される場合の他、以下に説明するように複数のパーツによって形成することもできる。
【００６３】
以下において説明するカバー８０は、カバー本体８２（図１５）と、カバー本体８２と結合される補助カバー８４（図１６）を備えている。補助カバー８４は、図１７及び図１８に示す第１のパーツ８６（図１６における８６ａ、８６ｂ）と、図１９及び図２０に示す第２のパーツ８９（図１６における８９ａ、８９ｂ）を２つずつ、合計４つのパーツを組み合わせて図１６に示すような矩形状に形成されている。  
尚、カバー本体８２において符号８３は、原稿台３ａ（図３）に対して開閉するカバー８０の回動軸である。
【００６４】
第１のパーツ８６（図１７及び図１８）は、カバー本体８２側に設けられる係合部１１０、１１１、１１２、１１３、１１４（図１５）と係合する、被係合部としての爪９０、９１、９２、９３、９４を備えている。尚、第１のパーツ８６は、図１７における面８７が、原稿台３ａに対向する側、すなわち−Ｚ方向に向けられ、図１８における面８８が、カバー本体８２側に向くように配置される。  
また、第１のパーツ８６は、カバー本体８２において第２のパーツ８９と係合する係合部１１５、１２０を露呈させるための第１開口部９７及び第２開口部９８を備えている。  
更に、第１のパーツ８６には、補助カバー８４として組み立てた際に、第２のパーツ８９と重なる段差部１２１、１２２を備えている。
【００６５】
第２のパーツ８９（図１９及び図２０）は、カバー本体８２側に設けられる係合部１２０、１１５、１１６、１１７、１１８、１１９（図１５）と係合する、被係合部としての爪１００、１０１、１０２、１０３、１０４、１０５を備えている。  
尚、第２のパーツ８９は、図１９における面９５が、原稿台３ａに対向する側、すなわち−Ｚ方向に向けられ、図２０における面９６が、カバー本体８２側に向くように配置される。
【００６６】
図２１は、カバー本体８２に２つの第１のパーツ８６ａ、８６ｂを取り付けた状態を示している。尚、図１５において、係合部１１０、１１１、１１２、１１３、１１４のうち、第１のパーツ８６ａの爪９０、９１、９２、９３、９４が係合する部位には、符号の数字のあとに符号ａを付して示している（例えば１１０ａ）。同様に、第１のパーツ８６ｂに対応する係合部には、符号の数字のあとに符号ｂを付して示している（例えば１１１ｂ）。  
第１のパーツ８６ａ及び第１のパーツ８６ｂに対応する第１開口部９７及び第２開口部９８は、それぞれ第１開口部９７ａ及び第２開口部９８ａ、第１開口部９７ｂ及び第２開口部９８ｂと言う。
【００６７】
図２２及び図２３に示すように、各係合部（例えば図２２における係合部１１０ａ、図２３における係合部１１２ａ）に、対応する爪（図２２における係合部１１０ａに対しては爪９０ａ、図２３における係合部１１２ａに対しては爪９２ａ）が入り込んで引っ掛かる様になっている。
【００６８】
また、図２１のように２つの第１のパーツ８６ａ、８６ｂをカバー本体８２に取り付けると、第１開口部９７ａ、第２開口部９８ａ、第１開口部９７ｂ、及び第２開口部９８ｂから、係合部１１５ａ、１２０ｂ、１１５ｂ、及び１２０ａが露呈するようになっている（図２４及び図２５も参照）。  
２つの第１のパーツ８６ａ、８６ｂを取り付けた後、残りの２つの第２のパーツ８９ａ、８９ｂをカバー本体８２に取り付け、カバー本体８２に対して矩形状の補助カバー８４が結合した状態（図１６）となる。  
第２のパーツ８９ａ、８９ｂは、段差部１２１、１２２（図２１）において第１のパーツ８６ａ、８６ｂと重なっている。このように第１のパーツ８６と第２のパーツ８９の境界部分において重なることによって、カバー８０全体としての剛性を高めている。  
本説明では２つの第１のパーツ８６と２つの第２のパーツ８９の４パーツにより補助カバー８４を構成する場合について述べたが、２パーツ以上であれば４パーツに限られない。また、複数のパーツ全ての形状が同じでもよく、また、全て異なっていてもよい。
【００６９】
また、補助カバー８４が小さな複数のパーツによって構成されることにより、補助カバー８４を一枚の板状体で形成した場合に大きく生じる「反り」を小さくすることができる。  
このことによってカバー８０と原稿台３ａとの間の隙間が減り、より効果的に原稿を押さえることができ、読み取り機構部３における読取精度を高めることができる。  
また、補助カバー８４が小さな部品（第１のパーツ８６、第２のパーツ８９）で構成されるため、例えば、前記反り等の部品形状を管理するための測定点が少なくて足り、部品管理コストを低減することができる。
【００７０】
尚、第１のパーツ８６ａ、８６ｂ及び第２のパーツ８９ａ、８９ｂのカバー本体８２への取り付けは接着剤やネジ留め等により取り付けることも可能であるが、爪形状によって留める構成とすることにより、装置の組立及び分解を容易にすることができる。  
また、原稿台３ａの上部を開閉するカバー８０において、補助カバー８４を小さな複数のパーツで形成する本構成は、記録機構部１５と読み取り機構部３を有する複合機としてのプリンター１に限られず、読み取り機構部単体、すなわちスキャナー等の画像読取装置に対して用いることも可能である。
【００７１】
補助カバー８４の下方（−Ｚ方向）には、前述した実施例１と同様に、原稿押さえマット（不図示）が設けられる。原稿押さえマットと補助カバー８４の間に弾性体で構成された弾性マットを設けることも可能である。
【００７２】
＜記録機構部における用紙搬送経路について＞
以下において、図２を参照しつつプリンター１の記録機構部１５における用紙搬送経路について説明する。初めに、手差しトレイ７からの用紙の給送について説明し、その後、装置底部に設けられる下段側トレイ１３或いは上段側トレイ１４からの用紙の給送について説明する。  
尚、図２において、手差しトレイ７からの用紙Ｐの給送経路Ｔ１を二点鎖線で示している。また、下段側トレイ１３或いは上段側トレイ１４から搬送駆動ローラー２４の上流側までの用紙Ｐの給送経路Ｔ２を点線で示している。
【００７３】
手差しトレイ７のセット口５０にセットされた用紙は、最上位の用紙が第２給送ローラー２１によってピックアップされて下流側に送られる。  
第２給送ローラー２１の先には、図示しないモーターによって回転駆動される搬送駆動ローラー２４と、該搬送駆動ローラー２４に接して従動回転する搬送従動ローラー２５とが設けられており、これらローラーによって用紙Ｐが記録ヘッド３０の下へと送られる。
【００７４】
続いて液体としてのインクを吐出する記録ヘッド３０は、キャリッジ２９の底部に設けられ、当該キャリッジ２９は図示しないモーターによって副走査方向（Ｘ軸方向）に往復動する様に駆動される。
【００７５】
記録ヘッド３０と対向する位置には、搬送される用紙Ｐを支持する媒体支持部材２８が設けられ、当該媒体支持部材２８によって、用紙Ｐと記録ヘッド３０との間の間隔（ＰＧ）が規定される。  
そして媒体支持部材２８の下流側には、図示しないモーターによって回転駆動される排出駆動ローラー３１と、当該排出駆動ローラー３１に接して従動回転する排出従動ローラー３２とが設けられている。記録ヘッド３０によって記録の行われた用紙Ｐは、これらローラーにより、上述した排紙受けトレイ８へ向けて排出される。
【００７６】
またプリンター１は、装置底部に下段側トレイ１３及び上段側トレイ１４を備え、当該下段側トレイ１３或いは上段側トレイ１４からも用紙を１枚ずつ給送することができる。  
上段側トレイ１４は、給送可能位置（図２）と、装置前面側（図２において右方向：上段側トレイ１４の引き抜き方向側）に移動した退避位置(不図示）との間をスライド（変位）可能に設けられており、図示しないモーターの動力を受けて、給送可能位置と退避位置とを変位する様に構成されている。  
尚、図２においては、下段側トレイ１３に収容される用紙を符号Ｐ１で、上段側トレイ１４に収容される用紙を符号Ｐ２で、それぞれ示している（以下、特に区別する必要がない場合は「用紙Ｐ」と言う）。
【００７７】
図示しないモーターによって回転駆動される第１給送ローラー（ピックアップローラーとも呼ばれる）１０は、回動軸１２を中心に揺動するローラー支持部材１１（ピックアップアームや揺動部材とも呼ばれる）に設けられており、上段側トレイ１４が最も装置後方側（図２において左方向：上段側トレイ１４の装着方向側であり、用紙送り出し方向側でもある）にスライドした突き当たり位置にあるとき、即ち上段側トレイ１４の給送可能位置では、第１給送ローラー１０が上段側トレイ１４に収容された用紙Ｐ２の最上位のものと接して回転することにより、当該最上位の用紙Ｐ２を上段側トレイ１４から送り出す。
【００７８】
一方、上段側トレイ１４が装置前面側（＋Ｙ側）にスライドした状態、即ち上段側トレイ１４が前述した退避位置にあるときは、ローラー支持部材１１が回動軸１２を中心に揺動し、第１給送ローラー１０が下段側トレイ１３に収容された用紙Ｐ１の最上位のものと接することができ、第１給送ローラー１０が回転することにより、当該最上位の用紙Ｐ１を下段側トレイ１３から送り出すようになっている。  
尚、下段側トレイ１３及び上段側トレイ１４は、前述したように、いずれか一方側が装着されていない場合であっても、他方側から用紙を給送可能となっている。
【００７９】
第１給送ローラー１０の下流側には、図示しないモーターによって回転駆動される中間ローラー１７が設けられており、この中間ローラー１７によって用紙Ｐは湾曲反転させられ、装置前方側へと向かう。尚、符号１９、２０は従動回転可能な従動ローラーであり、少なくとも用紙Ｐは、従動ローラー１９と中間ローラー１７とによってニップされ、また従動ローラー２０と中間ローラー１７とによってニップされて、下流側へと送られる。
【００８０】
点線で示す給送経路Ｔ２に沿って送られた用紙は、搬送駆動ローラー２４及び搬送従動ローラー２５の手前において給送経路Ｔ１（二点鎖線）と合流し、それ以降下流側においては、手差しトレイ７から給送された用紙と同様に、搬送駆動ローラー２４及び搬送従動ローラー２５によって搬送され、記録ヘッド３０による記録が行われた後に、排出駆動ローラー３１及び排出従動ローラー３２により排紙受けトレイ８へ向けて排出される。
【００８１】
また、用紙Ｐの両面を記録する場合には、表（おもて）面を記録ヘッド３０で記録した後、スイッチバックさせることで、用紙Ｐを中間ローラー１７の下側から給送経路に侵入させ、湾曲反転させることで、用紙Ｐの裏（うら）面に記録を行うことができる。尚、符号１８は中間ローラー１７の回転に従動回転可能な従動ローラーである。
【００８２】
尚、本発明は上記実施形態に限定されることなく、特許請求の範囲に記載した発明の範囲内で種々の変形が可能であり、それらも本発明の範囲内に含まれるものであることは言うまでもない。
【符号の説明】
【００８３】
１…プリンター（記録装置）、２…記録機構部本体、３…読み取り機構部、
４…カバー、５…操作パネル、６…手差しカバー、７…手差しトレイ、
８…排紙受けトレイ、９…カバー、１０…第１給送ローラー、
１１…ローラー支持部材、１２…回動軸、１３…下段側トレイ、
１４…上段側トレイ、１５…記録機構部、１７…中間ローラー、１８…従動ローラー、
１９…従動ローラー、２０…従動ローラー、２１…第２給送ローラー、
２４…搬送駆動ローラー、２５…搬送従動ローラー、２８…媒体支持部材、
２９…キャリッジ、３０…記録ヘッド（記録手段）、３１…排出駆動ローラー、
３２…排出従動ローラー、３３ａ、３３ｂ、３３ｃ、３３ｄ…フレーム、
３５…第１の連結部、３６…第２の連結部、３７…読み取り手段、３８…移動領域、
４０…筐体（本体部）、４２…ガイド部、４３…移動機構、４４…モーター、
４５…駆動プーリー、４６…第１従動プーリー、４７…第２従動プーリー、
４８…無端ベルト、４９…付勢部、５０…セット口、５２…カバー本体、
５４…補助カバー、５５…リブ、５６…原稿押さえマット、５７…回動軸、
５８…軸受部、５９…部位、６０…近距離無線通信基板（ＮＦＣ基板）、６１…電源、
６２…金属プレート、６３…薄肉部、６４…周縁係合部、６５…内部側係合部、
６６…周縁被係合部、６７…内部側被係合部、６８…凸部、６９…凸部、７０…カバー、
７１…カバー本体、７２…金属プレート、７４…近距離無線通信基板（ＮＦＣ基板）、
７５…薄肉部、７６…補助カバー、７８…原稿押さえマット、
８０…カバー、８２…カバー本体、８３…回動軸、８４…補助カバー、
８６、８６ａ、８６ｂ…第１のパーツ、８９、８９ａ、８９ｂ…第２のパーツ、
９０、９１、９２、９３、９４…爪、９７…第１開口部、９８…第２開口部、
１００、１０１、１０２、１０３、１０４、１０５…爪、
１１０〜１２０…係合部、Ｐ、Ｐ１、Ｐ２  用紙（被記録媒体）
【図１】
0006725869.tif 000002
【図２】
0006725869.tif 000003
【図３】
0006725869.tif 000004
【図４】
0006725869.tif 000005
【図５】
0006725869.tif 000006
【図６】
0006725869.tif 000007
【図７】
0006725869.tif 000008
【図８】
0006725869.tif 000009
【図９】
0006725869.tif 000010
【図１０】
0006725869.tif 000011
【図１１】
0006725869.tif 000012
【図１２】
0006725869.tif 000013
【図１３】
0006725869.tif 000014
【図１４】
0006725869.tif 000015
【図１５】
0006725869.tif 000016
【図１６】
0006725869.tif 000017
【図１７】
0006725869.tif 000018
【図１８】
0006725869.tif 000019
【図１９】
0006725869.tif 000020
【図２０】
0006725869.tif 000021
【図２１】
0006725869.tif 000022
【図２２】
0006725869.tif 000023
【図２３】
0006725869.tif 000024
【図２４】
0006725869.tif 000025
【図２５】
0006725869.tif 000026